(57)【要約】【課題】モータの寿命を正確に判断することができる換気装置を提供することを目的とする。【解決手段】換気装置の本体４内部に設けられる羽根を駆動するモータ１５と、前記モータ１５を制御する制御回路２２とを備え、前記制御回路２２内部には、前記モータ１５の振動を検知する振動検知手段とあらかじめ設定した振動閾値により振動を判定する振動判定手段と前記制御回路２２内部の温度を測定する温度検知手段とあらかじめ設定した温度閾値により温度を判定する温度判定手段とを備え、振動が前記振動閾値を超え、且つ前記制御回路内部の温度が前記温度閾値を超えた場合は、前記制御回路２２への電源供給を停止する構成とした換気装置。【選択図】図２
2010091230.tif 000002
【特許請求の範囲】
【請求項１】
換気装置の本体内部に設けられる羽根を駆動するモータと、前記モータを制御する制御回路とを備え、前記制御回路内部には、前記モータの振動を検知する振動検知手段とあらかじめ設定した振動閾値により振動を判定する振動判定手段と前記制御回路内部の温度を測定する温度検知手段とあらかじめ設定した温度閾値により温度を判定する温度判定手段とを備え、振動が前記振動閾値を超え、且つ前記制御回路内部の温度が前記温度閾値を超えた場合は、前記制御回路への電源供給を停止する構成とした換気装置。
【請求項２】
モータへの通電を遮断する停止手段を備え、温度検知手段に変化が生じ無い時に、振動検知手段が振動を検知し、予め振動判定手段で設定している振動閾値を越えると判断された場合は、前記停止手段を作動することを特徴とした請求項１記載の換気装置。
【請求項３】
表示部分と、通電時間を積算する積算手段とを備え、前記積算手段が予め設定されている時間に到達していないのに振動検知手段が振動を検知し、振動判定手段で振動閾値を超えたと判断された場合は、前記表示部分は表示を行うことを特徴とした請求項２記載の換気装置。
【請求項４】
表示部分を備え、振動判定手段で振動閾値を超えたと判断され、停止手段を作動したときに前記表示部分は表示を行うことを特徴とした請求項２又は、３記載の換気装置。
【請求項５】
振動検知手段を周囲の温度変化の影響を受けないように、回路ケースで保護することを特徴とした請求項１、２、３又は、４記載の換気装置。
【請求項６】
差圧検知手段と、差圧を判定する差圧判定手段とを備え、前記差圧判定手段が予め設定している値である場合は、振動検知手段で振動の検知をしないことを特徴とした請求項１、２、３、４又は、５記載の換気装置。
【請求項７】
差圧検知手段と、差圧を判定する差圧判定手段とを備え、差圧に変化があった時に振動が起こった場合は、モータの回転数を変化させて共振点をずらして振動を下げることを特徴とした請求項１、２、３、４、５又は、６記載の換気装置。
【請求項８】
ファンを駆動するモータがＤＣモータであることを特徴とした請求項１、２、３、４、５、６又は、７記載の換気装置。
【請求項９】
換気装置前面にフィルタを備え、前記フィルタが目詰まりしたときに起こる振動を検知して、フィルタの目詰まりを検知することを特徴とした請求項１、２、３、４、５、６、７又は、８記載の換気装置。
【請求項１０】
通電初期モータが動作してない場合において、温度判定手段の判定は温度閾値を超えることがなく、振動判定手段の判定は振動閾値を超えた場合は、モータに通電しないことを特徴とした請求項１、２、３、４、５、６、７、８又は、９記載の換気装置。
【請求項１１】
人感検知手段を設置することを特徴とした請求項１、２、３、４、５、６、７、８、９又は、１０記載の換気装置。
【請求項１２】
振動検出手段を基板に配置した時に、基板のたわまない所に配置することを特徴とした請求項項１、２、３、４、５、６、７、８、９、１０又は、１１記載の換気装置。
【発明の詳細な説明】
【技術分野】
【０００１】
本発明は、モータの寿命や故障を判断しながら運転を行う換気装置に関する。
【背景技術】
【０００２】
従来、この種の換気装置には、内部にモータ１０１により駆動される羽根１０２を設けた箱体状の換気扇本体１０３を天井部１０４に設け、壁部１０５には一方が電源１０６に接続され、他方が前記モータ１０１の通電を制御する制御部１０７に接続されたスイッチ１０８を設ける。
【０００３】
そして前記制御部１０７には、モータ１０１の運転時間を計測する寿命計測手段１０９とモータ１の運転時間が規定時間に達したときに寿命と判定する寿命判定手段１１０と、この寿命判定手段１１０で寿命と判定されたときにモータ１０１の通電状態を強制的に無通電状態にする停止手段１１１を設けている。
【０００４】
上記構成において、スイッチ１０８をオンして、モータ１０１を通電状態にするごとに制御部１０７に設けられた寿命計測手段１０９がモータ１０１の運転時間を計測し、換気扇の寿命時間（例えば２万時間〜３万時間）に達したとき、寿命判定手段１１０が寿命と判定し、停止手段１１１によりモータ１の通電状態を強制的に無通電状態にする換気扇であった（例えば、特許文献１参照）。
【特許文献１】特開平６−２２９５９６号公報
【発明の開示】
【発明が解決しようとする課題】
【０００５】
このような従来の換気扇では、モータの寿命判断はモータの通電時間のみで判断しているため、突然の停電やスイッチが切で換気扇に通電されない時間がありモータの寿命を正確に判断できないという課題があった。
【０００６】
また、モータの通電時間が寿命時間（例えば２万時間〜３万時間）に達していない時のモータの故障を判断できないという課題があった。
【０００７】
本発明は、このような従来の課題を解決するもので、モータの寿命を正確に判断することができる換気装置を提供することを目的とする。
【課題を解決するための手段】
【０００８】
上記課題を解決するために本発明の換気装置は、換気装置の本体内部に設けられる羽根を駆動するモータと、前記モータを制御する制御回路を備え、前記制御回路内部には、前記モータの振動を検知する振動検知手段と振動を判定する振動判定手段と前記制御回路内部の温度を測定する温度検知手段と温度を判定する温度判定手段を備え、振動が予め前記振動判定手段で設定している振動閾値を超え、且つ前記制御内部の温度が予め前記温度判定手段で設定している温度閾値を超えた場合は、前記制御回路に電源供給を停止することを特徴とする。
【０００９】
また、本発明の換気装置は、モータの通電状態を無通電状態にする停止手段を備え、温度検知手段に変化が生じ無い時に、振動検知手段が振動を検知し、予め振動判定手段で設定している振動閾値を越えると判断された場合は、前記停止手段を作動することを特徴とする。
【００１０】
また、本発明の換気装置は、表示部分を備え、通電時間を積算する積算手段を備え、前記積算手段が予め設定されている時間に到達していないのに振動検知手段が振動を検知し、予め振動判定手段で設定している振動閾値を超えたと判断された場合は、使用者に掃除を促すことを特徴とする。
【００１１】
また、本発明の換気装置は、表示部分を備え、振動判定手段で振動が大きいと判断され、停止手段を作動したときに換気装置が停止したことを使用者にお知らせすることを特徴とする。
【００１２】
また、本発明の換気装置は、振動検知手段を周囲の温度変化の影響を受けないように、回路ケースで保護することを特徴とする。
【００１３】
また、本発明の換気装置は、差圧検知手段を備え、差圧を判定する差圧判定手段を備え、前記差圧判定手段が予め設定している値である場合に振動が起こった場合は、振動検知手段で検知した振動を使用しないことを特徴とする。
【００１４】
また、本発明の換気装置は、差圧検知手段を備え、差圧を判定する差圧判定手段を備え、差圧に変化があった時に振動が起こった場合は、モータの回転数を変化させて共振点をずらして振動を下げることを特徴とする。
【００１５】
また、本発明の換気装置は、ファンを駆動するモータがＤＣモータであることを特徴とする。
【００１６】
また、本発明の換気装置は、換気装置前面にフィルタを備え、前記フィルタが目詰まりしたときに起こる振動を検知して、フィルタの目詰まりを検知することを特徴とする。
【００１７】
また、本発明の換気装置は、通電初期モータが動作してない場合において、温度判定手段の値も予め設定している温度閾値を超えることがなく、振動検知手段が検知し、振動判定手段が予め設定している閾値を超えたと判定された場合は、モータに通電しないことを特徴とする。
【００１８】
また、本発明の換気装置は、人感検知手段を設置することを特徴とする。
【００１９】
また、本発明の換気装置は、振動検出手段を基板に配置した時に、基板のたわまない所に配置することを特徴とする。
【発明の効果】
【００２０】
以上のように本願発明の換気装置によれば、モータの通電時間、振動検知手段、温度検知手段で回路の故障、モータの寿命を検出し判断しながら運転を行う換気装置を提供することができる。
【発明を実施するための最良の形態】
【００２１】
本発明の請求項１記載の発明は、換気装置の本体内部に設けられる羽根を駆動するモータと、前記モータを制御する制御回路を備え、前記制御回路内部には、前記モータの振動を検知する振動検知手段と振動を判定する振動判定手段と前記制御回路内部の温度を測定する温度検知手段と温度を判定する温度判定手段を備え、振動が予め前記振動判定手段で設定している振動閾値を超え、且つ前記制御内部の温度が予め前記温度判定手段で設定している温度閾値を超えた場合は、前記制御回路に電源供給を停止することができるため、モータ、回路の異常を常に監視することができる。
【００２２】
また、請求項２記載の発明は、モータの通電状態を無通電状態にする停止手段を備え、温度検知手段に変化が生じ無い時に、振動検知手段が振動を検知し、予め振動判定手段で設定している振動閾値を越えると判断された場合は、前記停止手段を作動することができるため、モータの寿命を監視することができる。
【００２３】
また、請求項３記載の発明は、表示部分を備え、通電時間を積算する積算手段を備え、前記積算手段が予め設定されている時間に到達していないのに振動検知手段が振動を検知し、予め振動判定手段で設定している振動閾値を超えたと判断された場合は、使用者に掃除を促すことが出来るため、換気装置使用者に換気装置の掃除の時期を促すことができる。
【００２４】
また、請求項４記載の発明は、表示部分を備え、振動判定手段で振動が大きいと判断され、停止手段を作動したときに換気装置が停止したことを使用者にお知らせすることができるため、換気装置使用者にモータが異常で停止したことを促すことができる。
【００２５】
また、請求項５記載の発明は、振動検知手段を周囲の温度変化の影響を受けないように、回路ケースで保護することができるため、急激な温度変化による誤動作を防止することができる。
【００２６】
また、請求項６記載の発明は、差圧検知手段を備え、差圧を判定する差圧判定手段を備え、前記差圧判定手段が予め設定している値である場合に振動が起こった場合は、振動検知手段で検知した振動を使用しないことができるため、ドア等の開閉による振動のご認識を防止することができる。
【００２７】
また、請求項７記載の発明は、差圧検知手段を備え、差圧を判定する差圧判定手段を備え、差圧に変化があった時に振動が起こった場合は、モータの回転数を変化させて共振点をずらして振動を下げることができるため、換気装置使用者に不快感を与えるモータの振動音を防止することができる。
【００２８】
また、請求項８記載の発明は、ファンを駆動するモータをＤＣモータにすることができるため、換気装置使用者に省エネルギーの換気装置を提供することができる。
【００２９】
また、請求項９記載の発明は、換気装置前面にフィルタを備え、前記フィルタが目詰まりしたときに起こる振動を検知して、フィルタの目詰まりを検知することができるため、振動検知手段のみで換気装置のフィルタの目詰まりを検知することができる。
【００３０】
また、請求項１０記載の発明は、通電初期モータが動作してない場合において、温度判定手段の値も予め設定している温度閾値を超えることがなく、振動検知手段が検知し、振動判定手段が予め設定している閾値を超えたと判定された場合は、モータに通電しないことができるため、初期不良や、施工不良を予め防止することができる。
【００３１】
また、請求項１１記載の発明は、人感検知手段を設置することが出来るので、人が在室していない場合は、換気装置使用者に手間をかけることなく省エネルギーの換気装置を提供することができる。
【００３２】
また、請求項１２記載の発明は、振動検出手段を基板に配置した時に、基板のたわまない所に配置することができるため、基板のたわみによる誤検知を防止し、振動を確実に検出することができる。
【００３３】
以下、本発明の実施の形態について図面を参照しながら説明する。
【００３４】
（実施の形態１）
本発明の換気システムの一例として、建物内の天井に設けられた換気装置を例にとり説明する。
【００３５】
図１、図２、図３に示すように、換気装置の本体４は、例えば家屋１の階段ホール２の天井裏３に設置されており、本体４の側面に設けた第１吸込ダクト接続口５は、第１吸込ダクトを通じて、居室６の天井面に設置されている第１吸込グリル７と連通している。また、本体４の側面に設けた第２吸込ダクト接続口８、第２吸込ダクトを通じて、居室９の天井面に設置されている第２吸込グリル１０と連通している。また、本体４の側面に設けた第３吸込ダクト接続口１１、第３吸込ダクトを通じて、トイレ１２の天井面に設置されている第３吸込グリル１３と連通している。本体４には、羽根１４と羽根を駆動するモータ１５からなるファンを備え、吸込グリル７、１０、１３のそれぞれから給気するとともに、本体４の下面のルーバ１６に備えた吸込み口１７からも吸込む構成となっており、本体４側面に設けている排気ダクト接続口１８と経由して排気ダクト接続口１８と連通した排気ダクト１９を通して居室壁面に設けている排気口２０から外気へ排気する。また、居室壁面には、外気の空気を取り入れる自然吸気口２１（この自然吸気口は、居室の数だけ設置される。）が備えてあり、外気を居室に吸込み外へ排気されている。
【００３６】
制御回路２２の構成は、電源回路（例えばＡＣ−ＤＣコンバータ）、モータ駆動回路（図示せず）、モータの振動を検知する振動検知手段２３、制御回路２２内部の温度を検知する温度検知手段２４、制御部（図示はしていないが例えばマイクロコンピュータ）で構成されており、このマイクロコンピュータには、振動検知手段２３で検知した値、温度検知手段２４で検知した値を元に一連の動作が可能なプログラムが書き込まれている。制御回路２２の取り付け位置は、モータの近傍に配置されており、振動検知手段２３は、基板上に配置され、製造上基板がたわまない部分に配置し、モータの熱や、周囲温度の影響を受けないように樹脂、又は金属で覆うように構成されている。
【００３７】
また、振動検知手段２３の構成は、例えば加速度センサ（ショックセンサ）を使用する。加速度センサ）とは外部から印加された加速度に比例して電荷を発生するものであり、原理としては、圧電セラミックの素子が慣性力によって歪み、内部に応力が発生し、圧電効果によって電気信号に変換するものである。
【００３８】
また、換気装置の運転を使用者が運転、停止するための電源スイッチ２５を階段ホール２に備え、ルーバ１６には、制御回路２２を動作させるための電源スイッチ２５Ａ（図示せず）を備え、制御回路２２と信号線（図示せず）で接続されている構成となっている。
【００３９】
電源スイッチ２５Ａの構成は、制御回路２２を入／切できるものであり、人がスイッチを押すと機械的に接点が保持されるものであり、制御回路２２への電源供給を停止する構成として電気を流すと接点が開放されるものである。
【００４０】
また、トイレ１２の天井面に設置されている第３吸込グリル１３には人の入室、退出を検知する人感測定装置２６（例えば人感センサ）を備える構成となっている。人感測定装置２６の構成は、人体の放射される熱線を検知する熱線と、熱線の信号を増幅する増幅器（例えばオペアンプ）と検知領域からの熱線を熱線に集光する受光レンズとの組み合せ）である。
【００４１】
また、温度検知手段２４の構成は、例えばサーミスタを使用する。サーミスタとは熱を与えると抵抗値が変化するものである。
【００４２】
上記構成において、換気装置の動作を図４に示すフローチャートを用いて説明する。
【００４３】
例えば、換気装置使用者が換気装置を運転するために換気装置に電源スイッチ２５を投入し、さらに換気扇使用者がルーバ１６に設置している電源スイッチ２５Ａを入りにすると、制御回路２２に電源が印加される。制御回路２２に電源が印加されると電源回路（例えばＡＣ−ＤＣコンバータ）で電源が形成され、マイクロコンピュータに組み込んでいるプログラムが処理を開始し、振動検知手段２３、温度検知手段２４の読み込みを開始し、通電初期は例えば１０秒間のみファンを待機状態とし、振動検知手段２３の値の測定を開始する。ファンが回転していないにも関わらず、振動検知手段２３が振動判定手段２７で振動の値が大きいと判定された場合は、施工不良、もしくは製品不良と判断してモータに通電しないようにし、ファンを動作させない。
【００４４】
１０秒経過後、マイクロコンピュータは、負荷駆動回路にファンの運転を命令し、人感測定装置２６の状態に関わらず、ファンを常時運転（例えば５０ｍ３／ｈ）で運転する。人感測定装置２６が安定する時間は（例えば、１分〜１分３０秒間）懸かる為、その時間は、人感測定装置２６の状態を検知しないようにする。
【００４５】
１分３０秒経過後、人感測定装置２６の検知の読み込みを開始する。人感測定装置２６が人の入室を検知するとマイクロコンピュータが負荷駆動回路にファンの運転を常時運転から常時運転より強い回転（強運転例えば１００ｍ３／ｈ）でファンを運転させる。人感測定装置２６の検知／非検知でファンを変化させるがこの時に、振動検知手段２３が検知し、振動判定手段２７で振動が大きいと判断させた場合においても、現状状態を維持する。
【００４６】
人感測定装置２６が非検知状態にも関わらず、振動検知手段２３が振動を検知し、振動判定手段２７の判定値を超えた場合は、モータの寿命と判定してモータへの通電を遮断する停止手段（図示せず）がファンを停止することとなる。また、温度検知手段２４が検知した値が、温度判定手段２８で超えたと判断され、その時に振動検知手段２３が振動を検知し、振動判定手段２７２７が判定値を超えた場合は、モータもしくはモータを駆動させる負荷駆動回路が故障したと判断して、ルーバ１６に設置している電源スイッチ２５Ａに電気を通電し、電源スイッチ２５Ａの接点を開放し、制御回路２２の電源供給を停止することとなる。
【００４７】
以上のように本実施の形態の換気装置は、家屋に施工した換気装置の施工不良、商品の初期不良を未然に防止する事ができ、また、モータの経年変化によるモータの寿命もしくは故障、また負荷駆動回路の故障を常時監視することができるため、モータの寿命によるモータの振動音、負荷駆動回路の故障による不安全を防止する商品を換気装置使用者に提供することができる。
【００４８】
本発明の中に記載している振動検知手段２３を加速度センサを用いて説明したが、３軸加速度センサ等を用いても同じ効果が得られる。
【００４９】
また、本発明の中に人感測定装置２６を用いて実施の形態を説明したが、人感測定装置２６がなく、通常のモータの運転においても同じ効果が得られる。
【００５０】
（実施の形態２）
実施の形態２について、図５を参照しながら説明する。なお、実施の形態１と同様の構成要素についてはその説明を省略する。
【００５１】
排気ダクト接続口１８には、本体４に設置した差圧検知手段２９からＨＩＧＨ側圧力導入口３０（例えばシリコンチューブ）を排気ダクト接続口１８の絞り３１の手前に設置し、ＬＯＷ側圧力導入口３２（例えばシリコンチューブ）を排気ダクト接続口１８の絞り３１の後に備え、差圧検知手段２９は、本体４に設置した制御回路２２と信号線（図示せず）で接続されている構成となっている。
【００５２】
差圧検知手段２９の構成は、例えば、差圧センサを使用する。差圧センサとは、受圧面をシリコンダイアフラムとした対象構造とし、圧力を受けるとダイアフラムが変動し、静電容量が変化するため、その静電容量の変化を電気的に出力するものである。
【００５３】
また、ＨＩＧＨ側圧力導入口３０、ＬＯＷ側圧力導入口３２（例えばシリコンチューブ）の先は排気ダクト接続口１８の内部壁面とつら位置（図示せず）に配置している。
【００５４】
また、実施の形態１のモータ１５に対してＤＣモータを備えたものである。例えば、ＤＣモータとは、一般的に直流のモータ１５であり、直流電源でモータを回すことができるものであり、ＤＣモータは制御用モータとして非常に優れた特性を有しているものである。
【００５５】
また、本体４の下面のルーバ１６中央に表示部分３３を備える構成になっており、表示部分３３は、ＬＥＤとスイッチで構成されており、表示内容は、換気装置使用者に掃除を促す表示と換気装置が停止したことを換気装置使用者に促す２種類の表示と換気装置使用者が掃除をしたことを制御回路２２に伝えるスイッチで表示部分３３を構成しているものである。
【００５６】
例えば、掃除を促すＬＥＤを青色、換気装置が停止したことを促すＬＥＤを赤色とする。
【００５７】
ＬＥＤとは、光を放射するダイオードであり、これは半導体のＰＮ接合を持ち、一定方向の電流を流す時に発生するエネルギーが光になって点灯する半導体素子である。
【００５８】
また、制御回路２２内部には、ファンの通電時間を積算する積算手段３４（図示せず）を設ける構成とする。
【００５９】
積算手段３４の構成は、例えばマイクロコンピュータを使用する。また、積算手段３４は、停電した場合に、積算手段３４で積算した時間を記憶する記憶手段を設ける構成とする。記憶手段の構成は、例えばＥＥＰＲＯＭを用いる構成とする。
【００６０】
ＥＥＰＲＯＭとは、メモリの種類であり、電圧の操作によってデータの消去、書換えが可能な半導体記憶装置である。
【００６１】
上記構成において、換気装置の動作を図６に示すフローチャートを用いて説明する。なお、実施の形態１と同様の動作についてはその説明を省略する。
【００６２】
例えば、換気装置使用者が換気装置を運転するために換気装置に電源スイッチ２５が投入されると、制御回路２２に電源が印加される。制御回路２２に電源が印加されると電源回路（例えばＡＣ−ＤＣコンバータ）で電源が形成され、マイクロコンピュータに組み込んでいるプログラムが処理を開始し、振動検知手段２３、温度検知手段２４、差圧検知手段２９、人感測定装置２６、積算手段３４の読み込みを開始し、図６のフローチャートに示すようにファンを回転させたと同時に積算手段３４がファンの通電時間の積算を開始する。人感測定装置２６が安定するまでの時間として１分３０秒が経過して、その後、居室トイレに人が入室すると居室、トイレのドアが開放されるため、居室内部、トイレ内部の圧力が変化する。居室内部、トイレ内部の圧力が変化すると、差圧検知手段２９が圧力の変化を検知する。圧力の変化を検知した場合、風量が多くなるか否かは、居室の状況によって変わるが圧力が変化すると同じ風量を換気装置が確保しようとするため、ＤＣモータの回転数も変化する。ＤＣモータの回転数が変化した場合、振動検知手段２３が振動を検知し、振動判定手段２７で振動が判定値を超えていると判断した場合は、居室または、トイレ内部の圧力変動による振動と判断し、現状を保つこととする。
【００６３】
また、居室または、トイレ内部の圧力が変化すると、換気装置は、同じ風量を確保しようとするため、例えばＤＣモータの回転数が上がり風量が安定する。風量が安定し、ＤＣモータの回転数が安定した場合において、振動検知手段２３で振動を検知し、振動判定手段２７で振動が大きいと判定された場合は、換気装置の躯体とＤＣモータの共振点とからなる振動と判断し、振動判定手段２７で振動が小さくなるところまで、更にＤＣモータの回転数を上げ共振点をずらし、風量を確保し、共振点による振動を下げることにする。
【００６４】
また、通電時間を積算する積算手段３４が予め設定している時間に達していないのに振動検知手段２３が振動を検知し、予め振動検知手段２３で設定している値を超えたと判断された場合は、ファンにほこりが付着しファンの負荷が大きくなり振動が起こったと判断をして、換気装置使用者に表示部分３３にある掃除サインＬＥＤ青色を点灯させる。ファンは現状の状態を保つこととする。ある一定時間経過後（例えば１週間）掃除サイン表示が点灯しているにも関わらず換気装置使用者が掃除をしない場合は、更に振動が大きくなると判断して換気装置を停止し、換気装置使用者に表示部分３３にあるファン停止サインＬＥＤを赤色で点灯させる。
【００６５】
換気装置使用者が掃除をすると、換気装置使用者は、表示部分３３にあるスイッチ（図示せず）を押すことで、掃除サインは消灯する。積算時間３４が予め設定している時間に達した場合は、振動検知手段２３の検知の有無に関わらずＤＣモータの寿命がきたと判断してＤＣモータを停止し、換気装置使用者に表示部分３３にあるファン停止サインＬＥＤを赤色で点灯させることとなる。
【００６６】
以上のように構成した換気装置は、ファンにほこりが付着し振動が発生した場合において換気装置使用者にお掃除を促すことができるため、ファンのほこりによる振動、換気量不足をなくすことができ、また、ドアの開閉等で起こるファンの共振点の振動等も防止することができる。
【００６７】
また、モータの通電時間を積算することが出来るため、モータの寿命で振動が起こったのかまたは、掃除不足で起こったのかが判断できるため、換気装置使用者に安全で風量を確保できる商品を換気装置使用者に提供することができる。
【００６８】
（実施の形態３）
実施の形態３について、図７を参照しながら説明する。なお、実施の形態１と同様の構成要素についてはその説明を省略する。
【００６９】
本体４の下面のルーバ１６には、羽根にほこりの付着を防止するフィルタ３５を備える構成とする。
【００７０】
上記構成において、換気装置の動作を図８に示すフローチャートを用いて説明する。なお、実施の形態２と同様の動作についてはその説明を省略する。
【００７１】
居室、トイレに人が入室すると居室、トイレのドアが開放されるため、居室内部、トイレ内部の圧力が変化する。居室内部、トイレ内部の圧力が変化すると、差圧検知手段２９が圧力の変化を検知する。圧力の変化を検知した場合、風量が多くなるか否かは、居室の状況によって変わるが圧力が変化すると同じ風量を換気装置が確保しようとするため、ＤＣモータの回転数も変化する。
【００７２】
差圧検知手段２９に差圧の変化がない場合において、振動検知手段２３が振動を検知し、振動判定手段２７で判定値を超えた場合においては、フィルタ３５にほこりが付着し、ファンに圧力がかかり、ファンの回転数が変化して振動が発生したと判断し、その振動の要因は、フィルタが目詰まりしたと判断して換気装置使用者に表示部分３３にある掃除サインＬＥＤ青色を点灯させることとなる。
【産業上の利用可能性】
【００７３】
本発明にかかる建物に取り付けられる換気装置は、換気装置の振動からモータの寿命、負荷駆動素子の故障を判断し、経年変化による事故を未然に防止する製品において広く有用である。
【図面の簡単な説明】
【００７４】
【図１】本発明の実施形態１の換気システムの取り付け状態図
【図２】同換気装置を天井に取り付けた状態を示す取り付け図
【図３】制御回路構成図
【図４】同換気装置の運転動作を示すフローチャート
【図５】本発明の実施形態２の換気システムの取り付け状態図
【図６】同換気装置の運転動作を示すフローチャート
【図７】本発明の実施形態３の換気システムの取り付け状態図
【図８】同換気装置の運転動作を示すフローチャート
【符号の説明】
【００７５】
１    家屋
２    階段ホール
３    天井裏
４    本体
５    第１吸込ダクト接続口
６    居室
７    第１吸込グリル
８    第２吸込ダクト接続口
９    居室
１０  第２吸込グリル
１１  第３吸込ダクト接続口
１２  トイレ
１３  第３吸込グリル
１４  羽根
１５  モータ
１６  ルーバ
１７  吸込み口
１８  排気ダクト接続口
１９  排気ダクト
２０  排気口
２１  自然吸気口
２２  制御回路
２３  振動検知手段
２４  温度検知手段
２５  電源スイッチ
２６  人感測定装置
２７  振動判定手段
２８  温度判定手段
２９  差圧検知手段
３０  ＨＩＧＨ側圧力導入口
３１  絞り
３２  ＬＯＷ側圧力導入口
３３  表示部分
３４  積算手段
３５  フィルタ
【図１】
2010091230.tif 000003
【図２】
2010091230.tif 000004
【図３】
2010091230.tif 000005
【図４】
2010091230.tif 000006
【図５】
2010091230.tif 000007
【図６】
2010091230.tif 000008
【図７】
2010091230.tif 000009
【図８】
2010091230.tif 000010